(57)【要約】【課題】記録媒体の下端を、媒体排出手段の近傍から保持面側に確実に送り込むことできる。【解決手段】用紙Ｐ上に画像を記録する印刷部３と、印刷済みの用紙Ｐを起立姿勢で且つ保持面６１に重ねて保持する排紙保持部５２と、排紙保持部５２側に配設した排紙駆動ローラー４４ａと排紙駆動ローラー４４ａに転接する排紙従動ローラー４４ｂとからなるニップローラーを有して、印刷済みの用紙Ｐを保持面６１に沿わせるように下方から送り出す排紙ローラー４４と、送り出された直後の前記記録媒体の下端に当接し、前記記録媒体をリフトアップした後、排紙駆動ローラー４４ａの頂部を越えた位置に落とし込むリフトアップ機構４７と、を備えた。【選択図】図１０
2012162060.tif 000002
【特許請求の範囲】
【請求項１】
記録媒体上に画像を記録する画像記録部と、
記録済みの前記記録媒体を起立姿勢で且つ保持面に重ねて保持する保持部と、
前記保持部側に配設した駆動ローラーと前記駆動ローラーに転接する従動ローラーとからなるニップローラーを有して、記録済みの前記記録媒体を前記保持面に沿わせるように下方から送り出す媒体排出手段と、
前記送り出された直後の前記記録媒体の下端に当接し、前記記録媒体をリフトアップした後、前記駆動ローラーの頂部を越えた位置に落とし込むリフトアップ手段と、を備えたことを特徴とする記録装置。
【請求項２】
前記リフトアップ手段は、上端面で前記記録媒体の下端に当接すると共に、前記駆動ローラー側が凹となるように湾曲した断面円弧状の円弧片部を有する当接部材と、
前記円弧片部の曲率に倣って前記当接部材を進退させる進退動機構と、を有していることを特徴とする請求項１に記載の記録装置。
【請求項３】
前記円弧片部の上端面は、凹状に形成されていることを特徴とする請求項２に記載の記録装置。
【請求項４】
前記駆動ローラーは、軸方向に所定の間隔を存して配設した複数の分割駆動ローラーを、有し、
前記従動ローラーは、軸方向に前記所定の間隔を存して配設した複数の分割従動ローラーを、有し、
前記当接部材は、前記間隔に対応する前記円弧片部を有し、櫛歯状に形成されていることを特徴とする請求項２または３に記載の記録装置。
【請求項５】
前記リフトアップ手段は、前記記録媒体が前記送り出された直後のタイミングで、前記進退動機構を駆動する送込み制御手段を、更に有していることを特徴とする請求項２ないし４のいずれかに記載の記録装置。
【請求項６】
前記保持部は、前記リフトアップ手段により落とし込んだ前記記録媒体を、さらに保持位置に導く傾斜部と、
前記傾斜部に連なり、前記保持位置に移動した前記記録媒体を下側から支持する支持部と、を有していることを特徴とする請求項１ないし５のいずれかに記載の記録装置。
【請求項７】
未記録の前記記録媒体を起立姿勢で収容すると共に着脱自在に構成された媒体カセットを、更に備え、
前記保持部は、前記媒体カセットの外面に形成されていることを特徴とする請求項１ないし６のいずれかに記載の記録装置。
【発明の詳細な説明】
【技術分野】
【０００１】
本発明は、記録済みの記録媒体を起立姿勢で保持する記録装置に関するものである。
【背景技術】
【０００２】
従来、記録装置として、シートを搬送する搬送ローラーと、シートに画像を転写する画像転写部と、転写済みのシートを排出し、縦姿勢で保持する排紙部と、を備えたものが知られている（特許文献１参照）。
【先行技術文献】
【特許文献】
【０００３】
【特許文献１】特開２００５−３５１３７号公報
【発明の概要】
【発明が解決しようとする課題】
【０００４】
ところで、このような構成の排紙部は、シートを保持する保持面を有した保持部と、保持面側に配設した駆動ローラーと駆動ローラーに転接する従動ローラーとからなるニップローラーを有すると共に、シートを保持面に沿わせるように下方から送り出す排紙手段と、を備えている。
しかしながら、かかる構成では、ニップローラーから送り出された（離れた）記録媒体の下端が、ニップローラーの近傍から外れず、その場に止まってしまうという問題があった。すなわち、上記のような構成では、ニップローラーによって、記録媒体を鉛直に近い角度で送り出すことになるが、かかる際、ニップローラーのニップ点が、駆動ローラーの頂部から極端に低くなってしまうので、ニップ点から外れた記録媒体の下端に対し、駆動ローラーが滑って（摩擦不足）、駆動ローラーの頂部を越えることができず、その場に止まってしまう。かかる場合に、次の記録媒体が送られて来たり、駆動ローラーを逆転させると、ジャムの原因となってしまうという問題があった。
【０００５】
本発明は、記録媒体の下端を、媒体排出手段の近傍から保持面側に確実に送り込むことできる記録装置を提供することを課題としている。
【課題を解決するための手段】
【０００６】
本発明の記録装置は、記録媒体上に画像を記録する画像記録部と、記録済みの記録媒体を起立姿勢で且つ保持面に重ねて保持する保持部と、保持部側に配設した駆動ローラーと駆動ローラーに転接する従動ローラーとからなるニップローラーを有して、記録済みの記録媒体を保持面に沿わせるように下方から送り出す媒体排出手段と、送り出された直後の記録媒体の下端に当接し、記録媒体をリフトアップした後、駆動ローラーの頂部を越えた位置に落とし込むリフトアップ手段と、を備えたことを特徴とする。
【０００７】
この構成によれば、記録媒体をリフトアップした後、駆動ローラーの頂部を越えた位置に落とし込んで、記録媒体の下端を保持面側に送り込むため、記録媒体の下端を、媒体排出手段の近傍から保持面側に確実に送り込むことできる。
【０００８】
この場合、リフトアップ手段は、上端面で記録媒体の下端に当接すると共に、駆動ローラー側が凹となるように湾曲した断面円弧状の円弧片部を有する当接部材と、円弧片部の曲率に倣って当接部材を進退させる進退動機構と、を有していることが好ましい。
【０００９】
この構成によれば、当接部材を円弧状に進退させるため、進退動によって、記録媒体の送り出し経路から退避した退避位置と、円弧片部の上端面が記録媒体の下端に当接する当接位置と、当接した記録媒体をリフトアップしたリフトアップ位置と、の間で当接部材を移動させる。一方、当接部材の前進に伴って、円弧片部の上端面が徐々に傾斜していくので、所定位置で記録媒体の下端が自動的に滑り落ち、落とし込みが実行される。このように、退避位置、当接位置およびリフトアップ位置の間の移動と、落とし込みの実行と、を簡単な構成で実現することができる。
【００１０】
また、円弧片部の上端面は、凹状に形成されていることが好ましい。
【００１１】
この構成によれば、円弧片部の上端面を、凹状（掬い状）に形成することによって、記録媒体の下端が、落とし込みの実行前に、上端面から落ちてしまうことを防止することができる。なお、凹状に形成するものであれば、湾曲凹状に形成しても良いし、角型凹状に形成しても良い。
【００１２】
さらに、駆動ローラーは、軸方向に所定の間隙を存して配設した複数の分割駆動ローラーを、有し、従動ローラーは、軸方向に上記所定の間隙を存して配設した複数の分割従動ローラーを、有し、当接部材は、上記間隙に対応する円弧片部を有した櫛歯状に形成されていることを特徴とする。
【００１３】
この構成によれば、上端面を、記録媒体下端の幅方向各箇所に当接させることができるため、記録媒体のリフトアップおよび落とし込みを安定的に実行することができる。
【００１４】
一方、リフトアップ手段は、記録媒体が送り出された直後のタイミングで、進退動機構を駆動する送込み制御手段を、更に有していることが好ましい。
【００１５】
この構成によれば、送込み制御手段によって、進退動を自動的に行うため、手動操作の手間を省くことができる。
【００１６】
また、保持部は、リフトアップ手段により落とし込んだ記録媒体を、さらに保持位置に導く傾斜部と、傾斜部に連なり、保持位置に移動した記録媒体を下側から支持する支持部と、を有していることが好ましい。
【００１７】
この構成によれば、傾斜部により、記録媒体の下部を、保持位置に円滑に導くことができると共に、支持部により、記録媒体を保持位置で適切に保持することができる。また、保持後の記録媒体と媒体排出手段との接触を有効に防止することができる。
【００１８】
さらに、未記録の記録媒体を起立姿勢で収容すると共に着脱自在に構成された媒体カセットを、更に備え、保持部は、媒体カセットの外面に形成されていることが好ましい。
【００１９】
記録済みの記録媒体を起立姿勢で保持する記録装置では、一般的に、記録媒体の上部を装置外部に露出させた状態で保持し、この露出部分によって記録媒体を装置本体から引き出す構成を有している。しかしながら、葉書のような寸法の小さい記録媒体を保持する場合、記録媒体の上部が装置外部に露出せず、取り出し不能になってしまう。
これに対し、上記構成によれば、保持部を媒体カセットと一体として取り外すことができるため、寸法の小さい記録媒体を保持した際にも、容易に取り出すことができる。
【図面の簡単な説明】
【００２０】
【図１】実施形態に係る記録装置を示した外観斜視図である。
【図２】記録装置の内部構造を示した側方断面図である。
【図３】用紙カセットを示した裏面斜視図である。
【図４】排紙保持部廻りを示した要部断面図である。
【図５】リフトアップ機構を示した斜視図（ａ）および平面図（ｂ）である。
【図６】円弧状部材を退避位置に移動した際の記録装置を示した裏面斜視図である。
【図７】円弧状部材を当接位置に移動した際の記録装置を示した裏面斜視図である。
【図８】円弧状部材をリフトアップ位置に移動した際の記録装置を示した裏面斜視図である。
【図９】（ａ）は、円弧状部材を退避位置に移動した際の円弧状部材廻りを示した図であり、（ｂ）は、円弧状部材を当接位置に移動した際の円弧状部材廻りを示した図である。（ｃ）は、円弧状部材をリフトアップ位置に移動した際の円弧状部材廻りを示した図である。
【図１０】リフトアップ機構による用紙Ｐの送込み動作を示した遷移図である。
【発明を実施するための形態】
【００２１】
以下、添付の図面を参照しながら、本発明の一実施形態に係る記録装置について説明する。この記録装置は、起立姿勢で保持した用紙（記録媒体）を搬送しながら所望の記録を行い、排紙した印刷済みの用紙を起立状態で重ねて保持（ストック、蓄積）するものである。なお、各図に示す通り、Ｘ軸（左右）方向、Ｙ軸（前後）方向およびＺ軸（上下）方向を規定して、以降説明する。また、本記録装置１は、縦置き配置および横置き配置（水平な状態で用紙に印刷を行い、水平な状態で排紙するような配置）が可能に構成されているが、以降の説明では、縦置き配置した場合について説明する。なお、縦置き配置だけを目的に作られた記録装置であっても構わない。
【００２２】
図１は、記録装置１を示した外観斜視図である。図１に示すように、記録装置１は、Ｘ軸およびＹ軸方向よりもＺ軸方向の寸法が大きく形成された薄型の箱状体を成す筐体２によって外観が構成されている。筐体２の上面には、操作ボタン等が配置された操作パネル２１と、ＰＣ等に接続するためのケーブルが接続されるケーブル端子２２と、複数のインクカートリッジ（図示省略）を着脱可能に装着するカートリッジ装着部（図示省略）を開閉するカートリッジカバー２３と、が設けられている。また、筐体２の上面には、記録が行われた用紙Ｐを排出するための用紙排出口２４（図２参照）を開閉する用紙排出口カバー２５が設けられている。なお、用紙排出口カバー２５は、ユーザーによって開閉されるものであるが、仮に閉じた状態で記録が実行された場合でも、図外の開閉機構によって自動的に開くようになっている。さらに、筐体２の前面には、後述の用紙カセット５を着脱自在に装着するためのカセット装着部２６が広く設けられている。
【００２３】
ここで図２を参照して、記録装置１の内部構造について詳細に説明する。図２は、記録装置１の内部構造を示した側方断面図である。図２に示すように、記録装置１は、カセット装着部２６に対し着脱自在に装着されると共に、枚葉の用紙Ｐを起立状態で収容する用紙カセット５と、記録装置１の下部で用紙Ｐを反転させて上方に送る搬送路Ｒに沿って、収容された用紙Ｐを送る搬送部４と、搬送路Ｒに面し且つ記録装置１の上下中間位置に配設されると共に、用紙Ｐにインクジェット方式で印刷処理を行う印刷部（画像記録部）３と、搬送部４および印刷部３を支持する装置フレーム（図示省略）と、これらを制御する制御部（送込み制御手段）（図示省略）を備えている。なお、用紙Ｐに印刷処理を行なう印刷部３は、記録媒体上に画像を記録する画像記録部の一例であり、記録媒体上への画像の記録は、インクジェット方式に限らず、他の方式によるものであっても構わない。
【００２４】
印刷部３は、装置フレームに支持されると共に、Ｘ軸方向に幅一杯に延在するキャリッジガイド軸３４およびキャリッジガイド板３６と、キャリッジガイド軸３４およびキャリッジガイド板３６に往復動自在に支持されたキャリッジユニット３０と、キャリッジガイド軸３４およびキャリッジガイド板３６に沿って、キャリッジユニット３０を往復動させるキャリッジ移動機構（図示省略）と、を備えている。キャリッジガイド軸３４は、キャリッジユニット３０の下端を支持し、キャリッジガイド板３６は、キャリッジガイド軸３４を中心として回動しようとする力に抗して、キャリッジユニット３０の上端を支えている。すなわち、キャリッジユニット３０は、キャリッジガイド軸３４およびキャリッジガイド板３６によって、傾斜姿勢に保持されている。
【００２５】
キャリッジユニット３０は、キャリッジガイド軸３４およびキャリッジガイド板３６に往復動自在に支持された箱状のキャリッジ３１と、キャリッジ３１に搭載されたインクジェットヘッド３２と、インクジェットヘッド３２に上側から接続されると共に、インクチューブ（図示省略）を介してインクカートリッジに接続された接続アダプター（図示省略）と、を備えている。インクジェットヘッド３２は、複数色のインク滴を吐出する複数のノズル列（図示省略）を有しており、用紙Ｐに対し所定のギャップを介して対面する。
【００２６】
なお、本実施形態は、インクカートリッジがキャリッジ３１から独立して設けられたいわゆるオフキャリッジ型であるが、インクカートリッジがキャリッジ３１に搭載された、いわゆるオンキャリッジ型であってもよい。また、本実施形態では、キャリッジ３１がＸ軸方向に移動しながら記録を行ういわゆるシリアルプリンターであるが、用紙Ｐ幅をカバーする固定式のインクジェットヘッド３２を用いてもよい。さらに、インクジェット方式に限らず、その他の記録方式であってもよい。
【００２７】
図３は、用紙カセット５を示した裏面斜視図である。図２および図３に示すように、用紙カセット５は、未印刷（未記録）の用紙Ｐを起立姿勢で収容するカセット本体（媒体カセット）５１と、カセット本体５１の外面（装置内部側）に設けられ、印刷済み（記録済み）の用紙Ｐを起立姿勢で且つ保持面６１に重ねて保持する排紙保持部（保持部）５２と、を備えている。すなわち、カセット本体５１から未印刷の用紙Ｐが供給され、排紙保持部５２に印刷済みの用紙Ｐが排出される。そして、用紙カセット５を装置本体から取り外すことで、カセット本体５１と共に、保持した印刷済みの用紙Ｐを取り出すことができる。また、用紙カセット５を取り外すことで記録装置１の内部が露出させることができ、搬送路Ｒに用紙Ｐが詰まった等の不具合を容易に解消することができる。なお、図示は省略するが、用紙カセット５は、筐体２に対してＺ軸方向にスライド自在に構成されており、その着脱操作は、用紙カセット５をスライドさせることで行われる。
【００２８】
カセット本体５１は、装着時に筐体２の前面と面一になり（図１参照）、記録装置１の概観をなすカセット筐体部５３と、カセット筐体部５３側を収容面とし、全体としてトレイ状に形成された本体トレイ５４と、本体トレイ５４の上部に対面し、用紙Ｐを収容する用紙収容空間を開閉する上部カバー５５と、本体トレイ５４の下部に位置し、用紙収容空間に収容した用紙Ｐの先端を揺動させる可動トレイ５９と、を備えている。
【００２９】
また、上部カバー５５の外面、すなわち、筐体２に装着した際に装置内部側に向く面は、印刷済みの用紙Ｐを保持する（蓄える）ための保持面６１として機能している（詳細は後述する。）。
【００３０】
可動トレイ５９は、用紙カセット５が装着された状態において用紙送り方向下流側となる本体トレイ５４の下側に設けられ、いわゆるホッパーとして機能するものである。可動トレイ５９は、本体トレイ５４の上下方向略中央部に設けられた左右一対の揺動支点５９ａを中心に回動可能になっており、図外の駆動機構により揺動するようになっている。これにより、収容された用紙Ｐの先端を、後述の給送ローラー４１に圧接させる状態（図２参照）と、離間させる状態（図示省略）と、にすることができる。
【００３１】
図２に示すように、搬送部４は、可動トレイ５９の先端部に対向し、収容された用紙Ｐに転接して引き出すと共に、用紙Ｐを湾曲反転させて上方に送る大形の給送ローラー４１と、給送ローラー４１に対向し、反転送りをガイドするガイド部材４５および補助従動ローラー４６と、給送ローラー４１からの用紙Ｐを印刷部３に送る搬送ローラー４２と、印刷部３に対面する案内部材３３と、案内部材３３の下流側に配設され、用紙Ｐの上反りを矯正する拍車状のガイドローラー４３と、ガイドローラー４３の下流側に配設され、用紙Ｐを排紙保持部５２に排紙する排紙ローラー（媒体排出手段）４４と、送り出された直後の用紙Ｐの下端をリフトアップして、排紙保持部５２側に送り込むリフトアップ機構（リフトアップ手段）４７と、を備えている。また、図示省略するが、搬送部４は、用紙Ｐの先端および尾端を検出する先端検出センサーや、搬送駆動ローラー４２ａのエンコーダー等で構成され、送られる用紙Ｐの頭出し位置等の位置情報を取得する用紙位置取得手段を備えている。
【００３２】
給送ローラー４１は、駆動ローラーで構成されており、カセット本体５１から引き出した用紙Ｐを、外周面に沿って円弧状に搬送する。ガイド部材４５は、給送ローラー４１の外周面に対面して湾曲形状に形成され、用紙Ｐを外側からガイドする。補助従動ローラー４６は、自由回転ローラーで構成されており、用紙Ｐを挟んで給送ローラー４１に転接して、反転送りを補助する。搬送ローラー４２は、前方側の搬送駆動ローラー４２ａと後方側の搬送従動ローラー４２ｂとを有するニップローラーで構成されており、用紙Ｐの送り（副走査）を制御するメインローラーとして機能する。なお、給送ローラー４１、搬送ローラー４２およびガイドローラー４３は、それぞれ用紙Ｐの幅方向（Ｘ軸方向）に適宜の間隔で配設された複数個の分割ローラーで構成されている。
【００３３】
案内部材３３は、搬送路Ｒの一部を構成すると共に、用紙Ｐの記録面とインクジェットヘッド３２との間のギャップ（ワークギャップ）を規定する（いわゆるプラテンとして機能する）。また、案内部材３３には、インクジェットヘッド３２と対向する位置に縁無し印刷の際、用紙Ｐ端から外れた領域に吐出されるインクを受ける凹部が形成されている。この凹部の中には、インクを吸収するインク吸収材（図示省略）が設けられている。そして更に、案内部材３３の下方には、打ち捨てられたインクを貯留する廃液タンク（図示省略）が配置されている。
【００３４】
給送ローラー４１により下方へと引き出された用紙Ｐは、給送ローラー４１、ガイド部材４５および補助従動ローラー４６によって上向きに反転させられ、搬送ローラー４２へと送られる。さらに、用紙Ｐは、搬送ローラー４２の間に挟圧搬送されて、印刷部３に送られる。印刷部３で記録の行われた用紙Ｐは、ガイドローラー４３および排紙ローラー４４を介して、用紙カセット５の排紙保持部５２に排紙される。
【００３５】
印刷処理では、搬送部４によって用紙Ｐを略Ｚ軸方向に間欠送り（副走査）すると共に、インクジェットヘッド３２を駆動しつつ、キャリッジ移動機構によって、キャリッジユニット３０をＸ軸方向に往復させて（主走査）、用紙Ｐに画像データを印刷する。
【００３６】
次に図３ないし図７を参照して、排紙保持部５２、排紙ローラー４４およびリフトアップ機構４７について詳細に説明する。図４は、排紙保持部５２廻りを示した断面図である。図３および図４に示すように、排紙保持部５２は、上部カバー５５の外面（装置内部側）によって構成された保持面６１と、排紙された用紙Ｐの下端を受容する受容部６２と、保持面６１に設けられ、用紙Ｐを起立姿勢に保持するホルダー６３と、を有している。
【００３７】
保持面６１は、用紙カセット５を筐体２に装着した際に、一対の排紙ローラー４４の近傍から用紙排出口２４までの間に位置する略平坦な面であり、且つ鉛直方向に延在した面である。排紙ローラー４４により排出された用紙Ｐは、保持面６１に沿って摺接しながら用紙排出口２４に向かって移動する。そして、保持面６１に重ねて保持される。また、用紙Ｐのサイズによっては、用紙排出口２４から上方に突出して排紙される。そのため、これを受けるべく、上部カバー５５は、上下方向に伸縮自在に可動することが好ましい。
【００３８】
受容部６２は、保持面６１から排紙ローラー４４側に突出し、用紙Ｐの下端を支持する支持部６２ａと、支持部６２ａの先端に連なり、排紙ローラー４４側を先上がりにして傾斜した複数の用紙導入部（傾斜部）６２ｂと、を有している。複数の用紙導入部６２ｂは、分割ローラーである排紙駆動ローラー４４ａ（後述する。）の間に入り込むようにして、Ｘ軸方向に適宜の間隔で配置されている。つまり、受容部６２は、全体として略櫛歯形状に形成されている。また、用紙導入部６２ｂは、排紙駆動ローラー４４ａの頂部を越えて保持面６１側に送り込まれた用紙Ｐの下端を、さらに、保持位置に適切かつ円滑に導く。一方、支持部６２ａは、保持位置に移動した用紙Ｐを支持する。このように、一対の排紙ローラー４４から送り出された用紙Ｐは、保持面６１および受容部６２によって、全体として起立姿勢で重ねて受容（保持）される。
【００３９】
排紙ローラー４４は、前方側（保持面６１側）の排紙駆動ローラー（駆動ローラー）４４ａと後方側の排紙従動ローラー（従動ローラー）４４ｂとを有するニップローラーで構成されており、案内部材３３の上側に位置する用紙Ｐに張力（ｔｅｎｓｉｏｎ）を付与するテンションローラーとして機能する。また、排紙ローラー４４は、排紙保持部５２の下部近傍に配設され、用紙Ｐを排紙保持部５２の保持面６１に沿わせるように下方から送り出す。具体的には、排紙ローラー４４による用紙Ｐの送出し方向は、用紙カセット５に向かう様に斜め上方に設定されている（図４参照）。そのため、排出される用紙Ｐは、排紙保持部５２の保持面６１（後述する。）に摺接しながら上方に移動し、排紙保持部５２の保持面６１に保持される。
【００４０】
排紙駆動ローラー４４ａは、分割ローラーで構成されており、ローラー軸７６と、軸方向（Ｘ軸方向）に所定の間隔を存してローラー軸７６に軸着した複数の分割駆動ローラー７７と、を有している。また、各分割駆動ローラー７７は、駆動ローラーであり且つゴムローラーにより構成されている。一方、排紙従動ローラー４４ｂは、分割ローラーで構成されており、軸方向（Ｘ軸方向）に所定の間隔を存して配設した複数の分割従動ローラー７８を有している。各分割従動ローラー７８は、分割駆動ローラー７７に転接する自由回転ローラーであり且つスターホイール（拍車状のローラー）により構成されている。
【００４１】
図５は、リフトアップ機構４７を示した斜視図（ａ）および平面図（ｂ）である。図５に示すように、リフトアップ機構４７は、上端面８３ａで用紙Ｐの下端に当接すると共に、排紙駆動ローラー４４ａ側が凹となるように湾曲した断面円弧状の円弧片部８３を有する円弧状部材（当接部材）８１と、円弧状部材８１の曲率に倣って当該円弧状部材８１を進退動（すなわち円運動）させる進退動機構８２と、を備えている。
【００４２】
円弧状部材８１は、円弧状に延在する複数の円弧片部（先端片）８３と、複数の円弧片部８３を後端部で並列に連結する連結部８４とから成り、一体として櫛歯状に形成されている。複数の円弧片部８３は、分割ローラーである排紙駆動ローラー４４ａおよび排紙従動ローラー４４ｂの上記各間隔に対応して形成されており、円運動に際し、当該各間隔に入り込むようになっている。各円弧片部８３の上端面８３ａは、円弧状部材８１全体の上端面となっており、用紙Ｐ下端への当接面となる。よって、用紙Ｐの下端を幅方向複数個所で当接する形となる。当該上端面８３ａは、側面視凹状に形成されている（図４参照）。すなわち、前後端部に対し前後中央部が低くなるように形成されている。また、当該上端面８３ａは、円運動によって、リフトアップした用紙Ｐが排紙駆動ローラー４４ａの頂部を越えた位置で滑り落ちるような形状（曲率および傾き）に形成されている。
【００４３】
進退動機構８２は、円運動の駆動源となるリフトアップモーター９１と、リフトアップモーター９１に噛合すると共に、円弧状部材８１を円運動させる駆動伝達部９２と、を備えている。駆動伝達部９２は、円弧状部材８１の左右端に形成された左右一対の扇状リブ９５と、一対の扇状リブ９５から左右に連なると共に、装置フレームに回転自在に支持された左右一対の回転中心軸９４と、右側の回転中心軸９４に同軸上で連なる共に、リフトアップモーター９１に噛合するギア部９３と、を有している。なお、駆動伝達部９２の各部材と円弧状部材８１とは、一体の部材で形成されている。制御部が、リフトアップモーター９１を駆動すると、リフトアップモーター９１に噛み合う駆動伝達部９２が回転し、駆動伝達部９２に連なる円弧状部材８１が円運動する。
【００４４】
進退動機構８２は、この円運動動作によって、用紙Ｐの搬送路Ｒ（送出し経路）から退避した退避位置（図６および図９（ａ）参照）と、上端面８３ａが用紙Ｐの下端に当接する当接位置（図７および図９（ｂ）参照）と、当接した用紙Ｐをリフトアップしたリフトアップ位置（図８および図９（ｃ）参照）と、の間で、円弧状部材８１を円運動させる。なお、当接位置からリフトアップ位置までの円運動では、進行に伴って、円弧片部８３の上端面８３ａが、上方に且つ保持面６１側に移動していくと共に、当該上端面８３ａが傾斜していく。また、リフトアップ位置は、円弧片部８３の上端面８３ａが、排紙駆動ローラー４４ａの頂点を、保持面６１側に前後方向（Ｙ軸方向）で超える位置である。すなわち、進退動機構８２は、円弧状部材８１をリフトアップ位置に円運動させることで、用紙Ｐ下端をリフトアップした上で、用紙Ｐ下端を排紙駆動ローラー４４ａの頂部を越えた位置に落とし込む。
【００４５】
ここで図１０を参照して、リフトアップ機構４７による用紙Ｐ下端の送込み動作について説明する。本動作は、制御部が、用紙位置取得手段からの位置情報に基づいて、用紙Ｐが排紙ローラー４４から送り出された直後であると判定したタイミングで行われる。また、定常時（排紙ローラー４４による送出し最中等）には、円弧状部材８１が退避位置に位置しており（図１０（ａ））、本動作は、この状態から行われる。
【００４６】
図１０に示すように、制御部は、上記タイミングで、リフトアップモーター９１の駆動を開始する。リフトアップモーター９１の駆動によって、円弧状部材８１を、退避位置から当接位置に円運動させ、円弧片部８３の上端面８３ａが、送り出された直後の用紙Ｐの下端に当接する（図１０（ｂ））。その状態から更に円運動が進むと、円弧片部８３の上端面８３ａが、下から支持する形で用紙Ｐ下端を上方に且つ保持面６１側にリフトアップしていく。一方、円運動に伴って、上端面８３ａが徐々に傾斜していく。
【００４７】
そして、円弧状部材８１がリフトアップ位置に到達した時点で、用紙Ｐが自動的に滑り落ちる。これによって、排紙駆動ローラー４４ａの頂部を越えた位置に落とし込まれる。排紙駆動ローラー４４ａの頂部を越えた用紙Ｐ下端は、用紙導入部６２ｂに導かれて支持部６２ａに到達し、用紙Ｐが保持面６１に沿わせる保持される（図１０（ｃ）参照）。このような送り込み動作によって、複数枚の用紙Ｐが適切に重ねて保持される。
【００４８】
以上のような構成によれば、リフトアップ機構４７により、用紙Ｐをリフトアップした後、排紙駆動ローラー４４ａの頂部を越えた位置に落とし込んで、用紙Ｐの下端を保持面６１側に送り込むため、用紙Ｐの下端を、排紙ローラー４４の近傍から保持面６１側に確実に送り込むことできる。
【００４９】
また、円弧状部材８１を円弧状に進退させる構成であるため、退避位置、当接位置およびリフトアップ位置の間の移動と、落とし込みの実行と、を簡単な構成で実現することができる。
【００５０】
さらに、円弧片部８３の上端面８３ａを、凹状（掬い状）に形成することによって、用紙Ｐの下端が、落とし込みの実行前に、上端面８３ａから落ちてしまうことを防止することができる。
【００５１】
またさらに、分割ローラーである排紙駆動ローラー４４ａおよび排紙従動ローラー４４ｂに対し、その各間隔に対応した櫛歯状に円弧状部材８１を形成することにより、円弧片部８３の上端面８３ａを、用紙Ｐ下端の幅方向各箇所に当接させることができるため、用紙Ｐのリフトアップおよび落とし込みを安定的に実行することができる。
【００５２】
また、排紙保持部５２において、支持部６２ａおよび用紙導入部６２ｂを設けることにより、支持部６２ａにより、用紙Ｐを保持位置で適切に保持することができると共に、用紙導入部６２ｂにより、用紙Ｐの下部を、保持位置に円滑に導くことができる。また、保持後の用紙Ｐと排紙ローラー４４との接触を有効に防止することができる。
【００５３】
また、排紙保持部５２を、カセット本体５１の外面に形成することにより、排紙保持部５２をカセット本体５１と一体として取り外すことができるため、寸法の小さい用紙Ｐ（葉書等）を保持した際にも、容易に取り出すことができる。
【００５４】
なお、本実施形態においては、円弧状部材８１を、その曲率に倣って進退動させてリフトアップおよび落とし込みを行う構成であったが、これに限るものではなく、例えば、用紙Ｐ下端への当接部材を、保持面６１側の斜め上方向に直動させる進退機構を用い、用紙Ｐ下端を保持面６１側且つ上方にリフトアップする構成であっても良い。かかる場合、用紙Ｐの湾曲に伴う復元力を利用して、落とし込みを行う。すなわち、用紙Ｐ下端を保持面６１側且つ上方にリフトアップすると、用紙Ｐが湾曲していき、用紙Ｐに平坦になろうとする復元力が発生する。これに対し、当接部材の当接面（上端面）の形状を、リフトアップ位置に移動した際、当該復元力によって、用紙Ｐ下端が当接部材から自動的に滑り落ちるような形状に形成する。
【００５５】
また、本実施形態においては、櫛歯状の円弧状部材８１を用い、幅方向複数個所で、用紙Ｐに当接し用紙Ｐをリフトアップする構成であったが、これに限るものではなく、例えば、円弧状部材８１が、用紙Ｐに左右両端のみで当接し用紙Ｐをリフトアップする構成であっても良い。
【符号の説明】
【００５６】
１：記録装置、  ３：印刷部、  ４４：排紙ローラー、  ４４ａ：排紙駆動ローラー、  ４４ｂ：排紙従動ローラー、  ４７：リフトアップ機構、  ５１：カセット本体、  ５２：排紙保持部、  ６１：保持面、  ６２ａ：支持部、  ６２ｂ：用紙導入部、  ７７：分割駆動ローラー、  ７８：分割従動ローラー、  ８１：円弧状部材、  ８２：進退動機構、  ８３：円弧片部、  ８３ａ：上端面、  Ｐ：用紙
【図１】
2012162060.tif 000003
【図２】
2012162060.tif 000004
【図３】
2012162060.tif 000005
【図４】
2012162060.tif 000006
【図５】
2012162060.tif 000007
【図６】
2012162060.tif 000008
【図７】
2012162060.tif 000009
【図８】
2012162060.tif 000010
【図９】
2012162060.tif 000011
【図１０】
2012162060.tif 000012